(57)【特許請求の範囲】
【請求項１】
音声データをＡＤＰＣＭ方式の符号器によりＡＤＰＣＭ信号に符号化し通信用物理スロットの情報チャネル（ＴＣＨ：Traffic  Channel）に設定して対向する装置間で伝送路を介して送受信するＰＨＳ電話システムにおいて、前記伝送路にエラーが発生した場合、エラーになった前記情報チャネルの送信側の装置は、前記伝送路のエラーが回復するまでの間、相手側の装置に送信するための前記通信用物理スロットとして、前記情報チャネル（ＴＣＨ）の代わりに、量子化差分信号領域と第２情報チャネル（ＴＣＨ２）とを含む通信用物理スロットを用い、前記量子化差分信号領域には前記符号器における現時点の量子化差分信号を設定するとともに、前記第２情報チャネル（ＴＣＨ２）には音声データを符号化したＡＤＰＣＭ信号を設定して、相手側の装置に送信する動作を継続することを特徴とするＰＨＳ電話システム。
【請求項２】
エラーになった前記伝送路の受信側の装置は、該エラーを検知した以降において、前記伝送路がエラーから回復して、エラーになった前記伝送路の送信側の装置から送信されてくる前記量子化差分信号領域と前記第２情報チャネル（ＴＣＨ２）とを含む通信用物理スロットを正常に受信することができた場合、前記量子化差分信号領域に設定された前記量子化差分信号を用いて、ＡＤＰＣＭ信号を復号する復号器の予測係数を更新することを特徴とする請求項１に記載のＰＨＳ電話システム。
【請求項３】
エラーになった前記伝送路の受信側の装置は、前記復号器の予測係数を更新した後、エラーになった前記伝送路の送信側の装置に対して、前記復号器の予測係数を更新した旨を示す通知を送信し、該通知を受け取った前記送信側の装置は、相手側の装置に送信するための前記通信用物理スロットを、前記量子化差分信号領域と前記第２情報チャネル（ＴＣＨ２）とを含む通信用物理スロットから、前記情報チャネル（ＴＣＨ）を含む通信用物理スロットに復帰させることを特徴とする請求項２に記載のＰＨＳ電話システム。
【請求項４】
音声データをＡＤＰＣＭ方式の符号器によりＡＤＰＣＭ信号に符号化し通信用物理スロットの情報チャネル（ＴＣＨ：Traffic  Channel）に設定して対向する装置間で伝送路を介して送受信するＰＨＳ電話システムに適用されるＰＨＳ端末において、前記伝送路にエラーが発生した場合、前記伝送路のエラーが回復するまでの間、相手側の装置に送信するための前記通信用物理スロットとして、前記情報チャネル（ＴＣＨ）の代わりに、量子化差分信号領域と第２情報チャネル（ＴＣＨ２）とを含む通信用物理スロットを用い、前記量子化差分信号領域には前記符号器における現時点の量子化差分信号を設定するとともに、前記第２情報チャネル（ＴＣＨ２）には音声データを符号化したＡＤＰＣＭ信号を設定して、相手側の装置に送信する動作を継続することを特徴とするＰＨＳ端末。
【請求項５】
前記情報チャネル（ＴＣＨ）を含む通信用物理スロットを受信する前記伝送路に発生したエラーを検知した以降において、前記伝送路がエラーから回復して、エラーになった前記伝送路の送信側の装置から送信されてくる前記量子化差分信号領域と前記第２情報チャネル（ＴＣＨ２）とを含む通信用物理スロットを正常に受信することができた場合、前記量子化差分信号領域に設定された前記量子化差分信号を用いて、ＡＤＰＣＭ信号を復号する復号器の予測係数を更新することを特徴とする請求項４に記載のＰＨＳ端末。
【請求項６】
前記復号器の予測係数を更新した場合には、エラーになった前記伝送路の送信側の装置に対して、前記復号器の予測係数を更新した旨を示す通知を送信する動作を行い、かつ、前記量子化差分信号領域と前記第２情報チャネル（ＴＣＨ２）とを含む通信用物理スロットの送信動作に移行した以降において、相手側の装置から、当該相手側の装置の前記復号器の予測係数を更新した旨を示す通知を受け取った場合には、相手側の装置に送信するための前記通信用物理スロットを、前記量子化差分信号領域と前記第２情報チャネル（ＴＣＨ２）とを含む通信用物理スロットから、前記情報チャネル（ＴＣＨ）を含む通信用物理スロットに復帰させることを特徴とする請求項５に記載のＰＨＳ端末。
【請求項７】
音声データをＡＤＰＣＭ方式の符号器によりＡＤＰＣＭ信号に符号化し通信用物理スロットの情報チャネル（ＴＣＨ：Traffic  Channel）に設定して対向する装置間で伝送路を介して送受信するＰＨＳ電話システムにおける音声処理方法であって、前記伝送路にエラーが発生した場合、エラーになった前記情報チャネルの送信側の装置は、前記伝送路のエラーが回復するまでの間、相手側の装置に送信するための前記通信用物理スロットとして、前記情報チャネル（ＴＣＨ）の代わりに、量子化差分信号領域と第２情報チャネル（ＴＣＨ２）とを含む通信用物理スロットを用い、前記量子化差分信号領域には前記符号器における現時点の量子化差分信号を設定するとともに、前記第２情報チャネル（ＴＣＨ２）には音声データを符号化したＡＤＰＣＭ信号を設定して、相手側の装置に送信する動作を継続することを特徴とする音声処理方法。
【請求項８】
エラーになった前記伝送路の受信側の装置は、該エラーを検知した以降において、前記伝送路がエラーから回復して、エラーになった前記伝送路の送信側の装置から送信されてくる前記量子化差分信号領域領域と前記第２情報チャネル（ＴＣＨ）とを含む通信用物理スロットを正常に受信することができた場合、前記量子化差分信号領域に設定された前記量子化差分信号を用いて、ＡＤＰＣＭ信号を復号する復号器の予測係数を更新することを特徴とする請求項７に記載の音声処理方法。
【請求項９】
エラーになった前記伝送路の受信側の装置は、前記復号器の予測係数を更新した後、エラーになった前記伝送路の送信側の装置に対して、前記復号器の予測係数を更新した旨を示す通知を送信し、該通知を受け取った前記送信側の装置は、相手側の装置に送信するための前記通信用物理スロットを、前記量子化差分信号領域と前記第２情報チャネル（ＴＣＨ２）とを含む通信用物理スロットから、前記情報チャネル（ＴＣＨ）を含む通信用物理スロットに復帰させることを特徴とする請求項８に記載の音声処理方法。
【請求項１０】
音声データをＡＤＰＣＭ方式の符号器によりＡＤＰＣＭ信号に符号化し、通信用物理スロットの情報チャネル（ＴＣＨ：Traffic  Channel）に設定して、対向する装置間で伝送路を介して送受信する、ＰＨＳ電話システムにおける音声処理方法をコンピュータに実行させるためのプログラムにおいて、
前記情報チャネルの送信時、
前記伝送路にエラーが発生した場合、
前記伝送路のエラーが回復するまでの間、
相手側の装置に送信するための前記通信用物理スロットとして、前記情報チャネル（ＴＣＨ）の代わりに、量子化差分信号領域と第２情報チャネル（ＴＣＨ２）とを含む通信用物理スロットを用い、前記量子化差分信号領域には前記符号器における現時点の量子化差分信号を設定するとともに、前記第２情報チャネル（ＴＣＨ２）には音声データを符号化したＡＤＰＣＭ信号を設定して、相手側の装置に送信する動作を継続し、
前記情報チャネルの受信時、
前記伝送路の該エラーを検知した以降において、
前記伝送路がエラーから回復して、エラーになった前記伝送路の送信側の装置から送信されてくる前記量子化差分信号領域と前記第２情報チャネル（ＴＣＨ２）とを含む通信用物理スロットを正常に受信することができた場合、
前記量子化差分信号領域に設定された前記量子化差分信号を用いて、ＡＤＰＣＭ信号を復号する復号器の予測係数を更新し、
エラーになった前記伝送路の送信側の装置に対して、前記復号器の予測係数を更新した旨を示す通知を送信し、
前記情報チャネルの送信時、
前記復号器の予測係数を更新した旨を示す前記通知を受け取った場合、
該通知を受け取った相手側の装置に送信するための前記通信用物理スロットを、前記量子化差分信号領域と前記第２情報チャネル（ＴＣＨ２）とを含む通信用物理スロットから、前記情報チャネル（ＴＣＨ）を含む通信用物理スロットに復帰させる
ことを特徴とする音声処理方法をコンピュータに実行させるプログラム。
【発明の詳細な説明】
【技術分野】
【０００１】
本発明は、ＰＨＳ（Personal  Handy-Phone  System）電話システム、ＰＨＳ端末、音声処理方法および音声処理プログラムに関する。
【背景技術】
【０００２】
ＰＨＳ（Personal  Handy-Phone  System）電話システムは、技術的には、既に熟成された印象が強いが、音声品質に関しては、例えば、特許文献１の特開２００２−２３７８５７号公報「ＱＰＳＫ方式における音声符号データの誤り処理方法および誤り処理装置」等にも記載されているように、ユーザからの改善要望が依然として多い状況にある。
【０００３】
ＰＨＳ電話システムにおける通話音声に関する音声符号化方式としては、ＡＤＰＣＭ（Adaptive  Differential  Pulse  Code  Modulation）方式が採用されている。国内のＩＳＤＮ（Integrated  Service  Digital  Network）等の有線回線で用いられているμ則量子化ＰＣＭ信号の場合は、サンプリング周波数８ｋＨｚを量子化ビット８ビットで符号化して通信しているため、１サンプル当たり８ビットであるが、無線区間が３２ｋｂｉｔ／ｓであるＰＨＳ電話システムなどにおいては、前述のように、ＡＤＰＣＭ方式を採用し、予測値と実際値との差分を予測差分信号（Ｉ信号）として送信することにしているため、１サンプル当たり４ビットとなっている。
【０００４】
なお、ＡＤＰＣＭアルゴリズムについては、諸処の書籍あるいはインターネット上で検索することにより関連する文献を見つけ出すことが容易であるため、詳細は割愛するが、基本的には、符号器（エンコーダ）と復号器（デコーダ）との双方が、同一の量子化器入出力パラメータを有し、該量子化器入出力パラメータを基にして、符号器（エンコーダ）側においては、入力信号から予測値を予測し、予測値を差し引いた予測差分信号を出力とし、復号器（デコーダ）側においては、この予測差分信号を入力信号として、量子化入出力パラメータを基にして元の音声データを再生する。
【０００５】
ＰＨＳ電話システムにおいては、符号器（エンコーダ）側（送信側）は、予測差分信号を一方的に送信するのみであり、復号器（デコーダ）側（受信側）においては、伝送路にエラーがない限り、同一の同期タンデム接続状態を維持することができる。
【０００６】
しかし、無線通信においては、受信レベルの劣化あるいはフェージングなどによる伝送路上の誤りにより音声品質の劣化の発生は必然的である。そこで、ＰＨＳ電話システムにおいては、復号器（デコーダ）側は、伝送路にエラーが発生して、受信した予測差分信号に誤りが発生した場合に、予測差分信号を'００００'としてまず出力することにし、伝送路がエラーから回復した後の音声品質の復活を早急に実施することができるように工夫している。
【先行技術文献】
【特許文献】
【０００７】
【特許文献１】特開２００２−２３７８５７号公報（第３−４頁）
【発明の開示】
【発明が解決しようとする課題】
【０００８】
しかしながら、無線伝送路においては、フェージング等の伝送エラーの発生は頻繁であり、ＰＨＳ電話システムにて採用しているＡＤＰＣＭ方式においても、伝送エラーによる音声品質の劣化は重要な課題になっている。さらには、従来のＰＨＳ電話システムの音声処理においては、伝送路にエラーが発生した場合に、前述のように、符号器（エンコーダ）側から予測差分信号を'００００'として出力することにより、その後、音声としてどのようなデータが届いた場合であっても、最終的には、元の音声データに戻すことができることを理論的に説明しているものの、元の音声データに戻るまでに時間がかかることについては説明されていない。
【０００９】
このような背景から、ＡＤＰＣＭコーデックの仕様を正確に理解し、伝送路エラー時の復号器（デコーダ）の振る舞いおよび伝送エラーから復帰時の振る舞いにより要求仕様を満たさない場合も存在する事情を把握することが必要であり、エラーからの復帰時の復号器（デコーダ）の予測係数を最適な値に更新することにより、符号器（エンコーダ）側と迅速に同期タンデムを取ることができるようにし、而して、符号器（エンコーダ）に入力される音声データと等しい音声データの出力を復号器（デコーダ）側から行うことが強く望まれるようになっている。
【００１０】
（本発明の目的）
本発明は、かかる事情に鑑みてなされたものであり、通話中において発生した伝送路エラーから回復した際に、復号器（デコーダ）側が符号器（エンコーダ）側と迅速に同期タンデムを取ることが可能なＰＨＳ電話システム、ＰＨＳ端末、音声処理方法および音声処理プログラムを提供することを、その目的としている。
【課題を解決するための手段】
【００１１】
前述の課題を解決するため、本発明によるＰＨＳ電話システム、ＰＨＳ端末、音声処理方法および音声処理プログラムは、主に、次のような特徴的な構成を採用している。
【００１２】
（１）本発明によるＰＨＳ電話システムは、音声データをＡＤＰＣＭ方式の符号器によりＡＤＰＣＭ信号に符号化し通信用物理スロットの情報チャネル（ＴＣＨ：Traffic  Channel）に設定して対向する装置間で伝送路を介して送受信するＰＨＳ電話システムにおいて、前記伝送路にエラーが発生した場合、エラーになった前記情報チャネルの送信側の装置は、前記伝送路のエラーが回復するまでの間、相手側の装置に送信するための前記通信用物理スロットとして、前記情報チャネル（ＴＣＨ）の代わりに、量子化差分信号領域と第２情報チャネル（ＴＣＨ２）とを含む通信用物理スロットを用い、前記量子化差分信号領域には前記符号器における現時点の量子化差分信号を設定するとともに、前記第２情報チャネル（ＴＣＨ２）には音声データを符号化したＡＤＰＣＭ信号を設定して、相手側の装置に送信する動作を継続することを特徴とする。
【００１３】
（２）本発明によるＰＨＳ端末は、音声データをＡＤＰＣＭ方式の符号器によりＡＤＰＣＭ信号に符号化し通信用物理スロットの情報チャネル（ＴＣＨ：Traffic  Channel）に設定して対向する装置間で伝送路を介して送受信するＰＨＳ電話システムに適用されるＰＨＳ端末において、前記伝送路にエラーが発生した場合、前記伝送路のエラーが回復するまでの間、相手側の装置に送信するための前記通信用物理スロットとして、前記情報チャネル（ＴＣＨ）の代わりに、量子化差分信号領域と第２情報チャネル（ＴＣＨ２）とを含む通信用物理スロットを用い、前記量子化差分信号領域には前記符号器における現時点の量子化差分信号を設定するとともに、前記第２情報チャネル（ＴＣＨ２）には音声データを符号化したＡＤＰＣＭ信号を設定して、相手側の装置に送信する動作を継続することを特徴とする。
【００１４】
（３）本発明による音声処理方法は、音声データをＡＤＰＣＭ方式の符号器によりＡＤＰＣＭ信号に符号化し通信用物理スロットの情報チャネル（ＴＣＨ：Traffic  Channel）に設定して対向する装置間で伝送路を介して送受信するＰＨＳ電話システムにおける音声処理方法であって、前記伝送路にエラーが発生した場合、エラーになった前記情報チャネルの送信側の装置は、前記伝送路のエラーが回復するまでの間、相手側の装置に送信するための前記通信用物理スロットとして、前記情報チャネル（ＴＣＨ）の代わりに、量子化差分信号領域と第２情報チャネル（ＴＣＨ２）とを含む通信用物理スロットを用い、前記量子化差分信号領域には前記符号器における現時点の量子化差分信号を設定するとともに、前記第２情報チャネル（ＴＣＨ２）には音声データを符号化したＡＤＰＣＭ信号を設定して、相手側の装置に送信する動作を継続することを特徴とする。
【００１５】
（４）本発明による音声処理プログラムは、少なくとも前記（３）に記載の音声処理方法を、コンピュータによって実行可能なプログラムとして実施していることを特徴とする。
【発明の効果】
【００１６】
本発明のＰＨＳ電話システム、ＰＨＳ端末、音声処理方法および音声処理プログラムによれば、以下のような効果を奏することができる。
【００１７】
すなわち、ＰＨＳ電話システムにおいて、１スロット分当たり４０サンプルの音声データが欠落するような伝送路のエラーが発生した場合であっても、該伝送路のエラーから回復して正常な状態に復帰した際に、迅速に、元の正常な音声データに復号して出力することができる。
【００１８】
従来のＰＨＳ電話システムにおいては、伝送路が正常な状態に復帰した後に、音声データをサンプリングして符号化したＡＤＰＣＭ信号が'００００'からスタートすることを考慮したとしても、最良な状態で、元の音声データに復号して出力することが可能な状態に復帰するまでに、７サンプル分の時間を要する。あるいは、符号化しようとする音声データの状態如何によっては、それ以上の時間を費やす可能性もある。
【００１９】
これに対して、本発明による実施形態においては、エラー発生時からエラー回復時まで、符号器（エンコーダ）側の装置から復号器（デコーダ）側の装置へ、復号化用の予測係数の算出用に用いる量子化差分信号を量子化差分信号（ＤＱ）領域に設定して送信しているので、符号化しようとする音声データがどのような状態であっても、常に、５サンプル後においては、元の正常な音声データに復号して出力することが可能となる。
【図面の簡単な説明】
【００２０】
【図１】本発明によるＰＨＳ電話システムの基地局の基本的な内部構成の一例を示すブロック構成図である。
【図２】本発明によるＰＨＳ電話システムに適用するＡＤＰＣＭ方式の符号器（エンコーダ）の基本的な構成の一例を示すブロック構成図である。
【図３】本発明によるＰＨＳ電話システムに適用するＡＤＰＣＭ方式の復号器（デコーダ）の基本的な構成の一例を示すブロック構成図である。
【図４】本発明によるＰＨＳ電話システムにおいて着呼から通話状態に移行するまでの呼制御シーケンスの一例を示すシーケンスチャートである。
【図５】本発明によるＰＨＳ電話システムにおける通常時の通信用物理スロットのスロット構成の一例を示す説明図である。
【図６】本発明によるＰＨＳ電話システムにおける伝送路エラー発生時の通信用物理スロットのスロット構成の一例を示す説明図である。
【図７】図１ないし図３に示したＰＨＳ電話システムにおいて情報チャネル（ＴＣＨ）を用いた通話中に伝送路エラーが発生した場合の基地局（ＣＳ）と移動局（ＰＳ）との間の情報のやり取りの一例を示すシーケンスチャートである。
【図８】図１ないし図３に示したＰＨＳ電話システムにおいて情報チャネル（ＴＣＨ）を用いた通話中に伝送路エラーが発生した場合の移動局（ＰＳ）側の動作の一例を説明するためのフローチャートである。
【発明を実施するための形態】
【００２１】
以下、本発明によるＰＨＳ電話システム、ＰＨＳ端末、音声処理方法および音声処理プログラムの好適な実施形態について添付図を参照して説明する。なお、以下の説明においては、本発明によるＰＨＳ電話システム、ＰＨＳ端末（以下の説明においては、移動局（ＰＳ）と表記している）および音声処理方法について説明するが、かかる音声処理方法をコンピュータにより実行可能な音声処理プログラムとして実施するようにしても良いし、あるいは、音声処理プログラムをコンピュータにより読み取り可能な記録媒体に記録するようにしても良いことは言うまでもない。
【００２２】
（本発明の特徴）
本発明の実施形態の説明に先立って、本発明の特徴についてその概要をまず説明する。本発明は、ＰＨＳ電話システムにおいて音声通話を行う際に、音声の符号器（エンコーダ）および復号器（デコーダ）すなわち音声コーデックに使用する音声符号化方式として採用されているＡＤＰＣＭ方式に関する制御方式を工夫することによって、伝送路上で発生したエラーにより受信信号を喪失した場合の処理に関して、音質をエラー発生前の状態に迅速に回復することを可能にしていることを特徴としている。
【００２３】
より具体的には、本発明は次のような仕組みを採用している。従来のＰＨＳ電話システムにおいては、伝送路上で伝送エラーが発生した場合、前述したように、伝送路のエラーが回復した後に、ＡＤＰＣＭ方式の音声コーデック（すなわち、符号器（エンコーダ）および復号器（デコーダ））側の処理により、最終的には、元の音声状態に戻すような仕組みが採用されている。これに対して、本発明においては、伝送路上で伝送エラーが発生した場合、次の伝送路復旧時点における第１番目の音声データに関して、符号器（エンコーダ）側にて生成された現時点の量子化差分信号を復号器（デコーダ）側に通知することにより、復号器（デコーダ）側は、予測係数を更新して、即座に、符号器（エンコーダ）側との同期タンデムを取ることができ、予測差分信号（Ｉ信号）の符号器（エンコーダ）側とのズレを解消し、同値とすることを可能にしている。
【００２４】
つまり、基地局（ＣＳ）と移動局（ＰＳ：ＰＨＳ端末）との間のＰＨＳ電話通信において、通常は、予測値と実際値との差分の予測差分信号（Ｉ信号）として、１サンプルを４ビットのＡＤＰＣＭ信号として伝送するが、伝送路上に伝送エラーが発生し、ＡＤＰＣＭ信号（音声データ）に欠落が生じた場合には、１サンプル当たり１６ビットを使い、送信済みのサンプル値と送信すべき実際値との差分を送信することによって、音声データを早期に正常な状態に復旧させることを可能にしている。
【００２５】
さらに説明すると、元の正常な音声データに復旧するためには、従来のＰＨＳ電話通信においては、最良の状態であっても７サンプルを要するが、符号器（エンコーダ）からの予測差分信号の状態如何によっては、それ以上のサンプル数を要する可能性もある。つまり、復号器（デコーダ）の内部には、予測信号を生成するために、過去２サンプル分の復号信号（再合成信号）と過去６サンプル分の量子化差分信号とを保有している。しかし、伝送エラーが発生した場合には、１スロット分について４０サンプルの音声データが欠落することになる。このため、伝送路が正常化した後、符号器（エンコーダ）側から復号器（デコーダ）側に対して送信する予測差分信号（Ｉ信号）が'００００'からスタートすることを考慮しても、元の正常な音声データに戻るには、最良の状態であっても、７サンプル要する。
【００２６】
これに対して、本発明においては、伝送路のエラーが回復した最初の時点で、符号器（エンコーダ）側から復号器（デコーダ）側に対して１６ビット（＝４ビット／１サンプル×４サンプル）を使って量子化差分信号を送信するようにしているので、５サンプル目で正常な元の音声データに復旧することができる。
【００２７】
（実施形態の構成例）
次に、本発明によるＰＨＳ電話システムの基地局（ＣＳ）や移動局（ＰＳ）に搭載するＡＤＰＣＭ方式の音声コーデック（符号器（エンコーダ）および復号器（デコーダ））の基本的な構成例について、図１ないし図３のブロック構成図を用いて説明する。図１は、本発明によるＰＨＳ電話システムの基地局（ＣＳ：Cell  Station）の基本的な内部構成の一例を示すブロック構成図であり、移動局（ＰＳ：Personal  Station）との間で送受信する音声データの処理部を抽出してその一例を示している。該基地局と対向する移動局（ＰＳ）においても、音声処理用の基本的な内部構成については、図１の基地局（ＣＳ）とほぼ同様の構成からなっている。図２は、本発明によるＰＨＳ電話システムに適用するＡＤＰＣＭ方式の符号器（エンコーダ）の基本的な構成の一例を示すブロック構成図であり、入力されてくる音声データをＡＤＰＣＭ信号に符号化する。図３は、本発明によるＰＨＳ電話システムに適用するＡＤＰＣＭ方式の復号器（デコーダ）の基本的な構成の一例を示すブロック構成図であり、図２の符号器（エンコーダ）から出力されたＡＤＰＣＭ信号を元の音声データに復号して出力する。なお、図１に示す基地局（ＣＳ）、図２に示す符号器（エンコーダ）および図３に示す復号器（デコーダ）は、いずれも、基本的な構成については、従来のＰＨＳ電話システムにおける基地局（ＣＳ）、符号器（エンコーダ）および復号器（デコーダ）と同様のブロック構成からなっている。
【００２８】
すなわち、図１に示すように、本発明によるＰＨＳ電話システムを構成する基地局（ＣＳ）は、移動局（ＰＳ：Personal  Station）との間でＰＨＳ電話用のＡＤＰＣＭ方式に基づいて符号化された音声データ（すなわちＡＤＰＣＭ信号）を送受信するために、送受信部１０１、フレーム処理部１０２、スロット処理部１０３、バッファ１０４、ＡＤＰＣＭ処理部１０５および制御部１０６を少なくとも備えて構成されており、ＡＤＰＣＭ処理部１０５内には、ＡＤＰＣＭ方式の符号器（エンコーダ）１０５ａ、復号器（デコーダ）１０５ｂが備えられている。なお、基地局（ＣＳ）との間でＰＨＳ電話通信を行う移動局（ＰＳ）についても、前述のように、音声処理部に関しては、図１の基地局（ＣＳ）と同様の内部構成を備えて、基地局（ＣＳ）との間のＡＤＰＣＭ方式による音声データの送受信を可能にしている。
【００２９】
周知のように、ＰＨＳ電話システムは、基地局（ＣＳ）と移動局（ＰＳ）との間の無線アクセス方式としてＴＤＭＡ（Time  Division  Multiple  Access）方式を、伝送方式としてＴＤＤ（Time  Division  Duplex）方式を採用し、同一周波数で送信情報と受信情報とを交互に通信し合うとともに、時分割した多重伝送を行っている。ＴＤＭＡ／ＴＤＤフレームの１フレームには、基地局（ＣＳ）から移動局（ＰＳ）への下り回線に４スロット、移動局（ＰＳ）から基地局（ＣＳ）への上り回線に４スロットの合計８スロットが含まれて構成され、５ｍｓの時間間隔で周期的に送受信が行われる。
【００３０】
上り、下り方向の４個ずつの各スロットのうち、１個ずつは、ＰＨＳ電話制御用の制御用物理スロットが割り当てられ、残りの３個ずつのスロットが、音声データを設定するためのペイロード（すなわち、情報チャネル（ＴＣＨ：Traffic  Channel））を含む通信用物理スロットとして利用することができる。８個の各スロットは、２４０ビット、０．６２５ｍｓの時間幅で構成される。なお、通信用物理スロットに利用する音声データのビットストリームは、一般に、あらかじめ定めた圧縮方式によって圧縮されスクランブル処理されたバースト信号として送受信される。
【００３１】
図１に示す基地局（ＣＳ）の送受信部１０１は、ＴＤＭＡ／ＴＤＤフレームのビットストリームを変復調して移動局（ＰＳ）との間で送受信を行う部位であり、フレーム処理部１０２は、相手側の装置の送受信部１０１に対してフレームを送信する場合は、スロット処理部１０３で生成された各スロットの情報をフレームとして組み立てて、送受信部１０１に出力し、一方、送受信部１０１からフレームを受信した場合は、受信したフレームのビットストリームを各スロットに分解して、スロット処理部１０３に出力する。
【００３２】
スロット処理部１０３は、バッファ１０４に一時蓄えられた音声データ（ＡＤＰＣＭ信号）を送信する場合は、バッファ１０４に蓄えられているＡＤＰＣＭ信号を取り出して、情報チャネル（ＴＣＨ：Traffic  Channel）に設定してスロット形式のペイロードに組み立てた後、誤り訂正符号のＣＲＣ（Cyclic  Redundancy  Code）を付与するとともに、スクランブル処理を施して、フレーム処理部１０２に送信し、一方、フレーム処理部１０２から分解したスロットを受け取った場合は、デスクランブル処理および誤り検出訂正処理を施した後、情報チャネル（ＴＣＨ：Traffic  Channel）を解析して、該情報チャネル（ＴＣＨ）に音声データ（ＡＤＰＣＭ信号）が含まれていた場合には、該音声データ（ＡＤＰＣＭ信号）をバッファ１０４に一時蓄えて、ＡＤＰＣＭ処理部１０５に音声データの復号化処理を要求する。
【００３３】
ＡＤＰＣＭ処理部１０５は、バッファ１０４に一時的に蓄えられた音声データが、スロット処理部１０３から出力されてきたＡＤＰＣＭ信号であった場合には、ＡＤＰＣＭ処理部１０５内の復号器（デコーダ）１０５ｂによって復号して出力し、一方、スロット処理部１０３からのＡＤＰＣＭ信号ではなく、符号化すべき音声データであった場合には、ＡＤＰＣＭ処理部１０５内の符号器（エンコーダ）１０５ａによってＡＤＰＣＭ信号に符号化して出力する。
【００３４】
なお、制御部１０６は、基地局（ＣＳ）全体の動作を制御するが、フレーム処理部１０２において送受信部１０１からのＴＤＭＡ／ＴＤＤフレームに誤りを検出した場合やスロット処理部１０３において情報チャネル（ＴＣＨ）の誤りを検出した場合には、誤りが発生したスロットの音声データの欠落状態の発生による音質劣化状態から早期に復旧させるために、回復処理用の情報チャネルとして、現時点における量子化差分信号とＡＤＰＣＭ信号を設定した第２情報チャネル（ＴＣＨ２）との送信を、当該音声データの送信元の相手側の装置（本実施形態においては基地局（ＣＳ））に対して要求する動作を実施し、復号器（デコーダ）における復旧動作をより迅速に行うことを可能にしている。
【００３５】
次に、図１のＡＤＰＣＭ処理部１０５に備えているＡＤＰＣＭ方式の符号器（エンコーダ）１０５ａおよび復号器（デコーダ）１０５ｂの内部構成について、図２および図３を用いて説明する。図２に示す符号器（エンコーダ）は、第１加算器１、適応量子化器２、第１Ｄフリップフロップ３、量子化幅更新器４、逆適応量子化器５、第２Ｄフリップフロップ６、第３Ｄフリップフロップ７、第２加算器８、適応予測器９を少なくとも含んで構成されている。これに対して、図３に示す復号器（デコーダ）は、復号化用第１Ｄフリップフロップ１１、復号化用量子化幅更新器１２、復号化用逆適応量子化器１３、復号化用第２Ｄフリップフロップ１４、復号化用第３Ｄフリップフロップ１５、復号化用加算器１６、復号化用適応予測器１７を少なくとも含んで構成されている。
【００３６】
図２に示す符号器（エンコーダ）に第ｎ番目の音声データとなる入力信号ｓｌ（ｎ）が入力されてくると、第１加算器１において、適応予測器９から出力される予測信号ｓｅ（ｎ）との差分を求めて、予測差分信号ｄ（ｎ）として適応量子化器２に入力される。適応量子化器２においては、入力されてきた予測差分信号ｄ（ｎ）を、量子化幅更新器４から出力される適応量子化幅ｙ（ｎ）に基づいて、４ビットに量子化することにより、ＡＤＰＣＭ信号Ｉ（ｎ）を生成して、符号器（エンコーダ）から出力するとともに、第１Ｄフリップフロップ３に保持する。第１Ｄフリップフロップ３からは、１つ前の第（ｎ−１）番目のＡＤＰＣＭ信号Ｉ（ｎ−１）が量子化幅更新器４に入力されていて、量子化幅更新器４において、適応量子化幅ｙ（ｎ）が生成されて、適応量子化器２および逆適応量子化器５に供給されている。
【００３７】
逆適応量子化器５においては、符号器（エンコーダ）から出力されるＡＤＰＣＭ信号Ｉ（ｎ）を、量子化幅更新器４から出力される適応量子化幅ｙ（ｎ）に基づいて、逆量子化することにより、量子化差分信号ｄｑ（ｎ）を生成して、第２加算器８に対して入力するとともに、第２Ｄフリップフロップ６に保持する。第２加算器８においては、入力されてきた量子化差分信号ｄｑ（ｎ）と適応予測器９から出力される予測信号ｓｅ（ｎ）とを合成して、再合成信号ｓｒ（ｎ）を生成して、第３Ｄフリップフロップ７に保持する。
【００３８】
第２Ｄフリップフロップ６から出力されている１つ前の第（ｎ−１）番目の量子化差分信号ｄｑ（ｎ−１）、第３Ｄフリップフロップ７から出力されている１つ前の第（ｎ−１）番目の再合成信号ｓｒ（ｎ−１）は、それぞれ、適応予測器９に入力されている。適応予測器９においては、第２Ｄフリップフロップ６からの量子化差分信号ｄｑ（ｎ−１）と第３Ｄフリップフロップ７からの再合成信号ｓｒ（ｎ−１）により、予測係数を更新して、予測信号ｓｅ（ｎ）を生成し、第１加算器１および第２加算器８に対して供給する。
【００３９】
かくのごとく構成することによって、ＡＤＰＣＭ方式の符号器（エンコーダ）においては、入力信号ｓｌ（ｎ）の振幅範囲が大きい場合には、量子化幅更新器４から出力される適応量子化幅ｙ（ｎ）を大きくして、入力信号ｓｌ（ｎ）の振幅変化に追随するようにし、一方、入力信号ｓｌ（ｎ）の振幅範囲が小さい場合には、量子化幅更新器４から出力される適応量子化幅ｙ（ｎ）を小さくし、小さな信号変化を再現することができるような、ＡＤＰＣＭ信号Ｉ（ｎ）を出力することが可能である。
【００４０】
受信側に配置される図３に示す復号器（デコーダ）においては、図２に示した符号器（エンコーダ）から出力された第ｎ番目のＡＤＰＣＭ信号Ｉ（ｎ）が入力されてくると、復号化用第１Ｄフリップフロップ１１に保持されるとともに、復号化用逆適応量子化器１３に入力される。復号化用逆適応量子化器１３においては、入力されたＡＤＰＣＭ信号Ｉ（ｎ）を、復号化用量子化幅更新器１２から出力される適応量子化幅ｙ（ｎ）に基づいて、逆量子化することにより、量子化差分信号ｄｑ（ｎ）を生成して、復号化用加算器１６に対して入力するとともに、復号化用第２Ｄフリップフロップ１４に保持する。復号化用加算器１６においては、入力されてきた量子化差分信号ｄｑ（ｎ）と復号化用適応予測器１７から出力される予測信号ｓｅ（ｎ）とを合成して、再合成信号ｓｒ（ｎ）を生成して、復号器（デコーダ）から出力するとともに、復号化用第３Ｄフリップフロップ１５に保持する。
【００４１】
復号化用第２Ｄフリップフロップ１４から出力されている１つ前の第（ｎ−１）番目の量子化差分信号ｄｑ（ｎ−１）、復号化用第３Ｄフリップフロップ１５から出力されている１つ前の第（ｎ−１）番目の再合成信号ｓｒ（ｎ−１）は、それぞれ、適応予測器９に入力されている。適応予測器９においては、復号化用第２Ｄフリップフロップ１４からの量子化差分信号ｄｑ（ｎ−１）と復号化用第３Ｄフリップフロップ１５からの再合成信号ｓｒ（ｎ−１）とにより、予測係数を更新して、予測信号ｓｅ（ｎ）を生成し、復号化用加算器１６に対して供給する。
【００４２】
かくのごとく構成することによって、ＡＤＰＣＭ方式の復号器（デコーダ）においては、ＡＤＰＣＭ方式の符号器（エンコーダ）において、適応量子化された音声データを忠実に復号することによって、母音などのように振幅範囲が大きい部分についても、また、無声音などのように振幅が小さい部分についても、量子化歪が少ない音声データとして再生することができる。
【００４３】
（本実施形態の動作の説明）
次に、図１ないし図３に一実施形態として示した本発明によるＰＨＳ電話システムの動作について、図面を用いて詳細に説明する。まず、一例として、基地局（ＣＳ）から着信側の移動局（ＰＳ）に対して呼出動作を行うことにより、ＡＤＰＣＭ方式による通話状態に移行するまでのシーケンスを図４のシーケンスチャートを用いて説明する。図４は、本発明によるＰＨＳ電話システムにおいて着呼から通話状態に移行するまでの呼制御シーケンスの一例を示すシーケンスチャートであり、ＰＨＳ電話システムの通信確立手順は省略して、その後の基地局（ＣＳ）を介した発着信間の移動局（ＰＳ）間の双方向による通話が可能な状態に移行するまでの手順を示している。図４のシーケンスチャートに示すように、本発明によるＰＨＳ電話システムにおいては、通常のＰＨＳ電話システムと全く同様、ＲＣＲ  ＳＴＤ−２８規格（第２世代コードレス電話システム標準規格）に準拠した手順で、通話状態に移行する。
【００４４】
すなわち、図４のシーケンスチャートにおいて、まず、基地局（ＣＳ）は、移動局（ＰＳ）との間の接続状態を初期化するために、高速付随制御チャネル（ＦＡＣＣＨ）を用いて、マルチフレーム確認形動作モードを終了させるＤＩＳＣ（切断）信号を移動局（ＰＳ）に対して送信する（シーケンスＳｅｑ１）。基地局（ＣＳ）からのＤＩＳＣ信号を受け取った移動局（ＰＳ）は、初期状態に復旧した後、高速付随制御チャネル（ＦＡＣＣＨ）を用いて、非番号制応答のＵＡ確認信号を基地局（ＣＳ）へ返送して、その旨を通知する（シーケンスＳｅｑ２）。
【００４５】
しかる後、基地局（ＣＳ）から着信側の移動局（ＰＳ）に対して、呼設定を開始するために、基地局（ＣＳ）は、移動局（ＰＳ）に対して、低速付随制御チャネル（ＳＡＣＣＨ）を用いて、呼制御ＣＣとして、呼出（Ａｌｅｒｔ）信号を送信する（シーケンスＳｅｑ３）。さらに、着信側の基地局（ＣＳ）からは、発信側の移動局（ＰＳ）の方向に向かって、リング・バック・トーンＲＢＴ（Ring  Back  Tone）が送信される（シーケンスＳｅｑ４）。その後、着信側の移動局（ＰＳ）が応答すると、着信側の移動局（ＰＳ）が呼設定を受け付けた旨を示すために、低速付随制御チャネル（ＳＡＣＣＨ）を用いて、呼制御ＣＣとして、応答（Ｃｏｎｎｅｃｔ）信号を基地局（ＣＳ）に対して送信してくる（シーケンスＳｅｑ５）。
【００４６】
基地局（ＣＳ）は、着信側の移動局（ＰＳ）からの応答信号を受け取ると、着信側の移動局（ＰＳ）と発信側の移動局（ＰＳ）との間のＰＨＳ電話システムによる通話が可能な通信中の状態に移行する（シーケンスＳｅｑ６）。
【００４７】
ＰＨＳ電話システムのＡＤＰＣＭ方式による通信中の状態に移行した以降においては、スロット構成として図５に示すような通信用物理スロットの情報チャネル（ＴＣＨ：Ｔｒａｆｆｉｃ  Ｃｈａｎｎｅｌ）内に、ＡＤＰＣＭ方式によって符号化された音声データ（ＡＤＰＣＭ信号）をペイロードとして設定することにより、発着信の移動局（ＰＳ）間の通話が行われる。図５は、本発明によるＰＨＳ電話システムにおける通常時の通信用物理スロットのスロット構成一例を示す説明図であり、伝送路のエラーが発生しない状態におけるスロット構成は、ＲＣＲ  ＳＴＤ−２８規格（第２世代コードレス電話システム標準規格）に完全に準拠したスロット構成であることを示している。
【００４８】
すなわち、図５の通信用物理スロットのスロット構成において、枠内に表示した数字は、それぞれの枠に該当する情報のビット数を示しており、通信用物理スロットは、前述のように、１スロット当たり合計２４０ビットのビット数からなっている。このうち、Ｒ（４ビット）は、過渡応答用ランプビットであり、各スロットの立ち上がりと立ち下がりの過渡状態を滑らかにするための時間を設けるための情報である。ＳＳ（２ビット）は、スタートシンボルであり、各スロットの開始を示す情報である。ＰＲ（６ビット）は、プリアンブルであり、受信信号からクロックを再生して、ビット同期を確立するための情報である。
【００４９】
ＵＷ（１６ビット）は、ユニークワードであり、各スロットのフレーム同期を確立するための情報であって、制御用物理スロットと通信用物理スロットとを識別可能にするために異なるパターンが割り当てられている。ＣＩ（４ビット）は、チャネル種別であり、各スロットの機能チャネル（情報チャネル（ＴＣＨ）、高速付随制御チャネル（ＦＡＣＣＨ）、低速付随制御チャネル（ＳＡＣＣＨ）等）を識別するための情報である。ＳＡ（１６ビット）は、制御ビットであり、低速付随制御チャネル（ＳＡＣＣＨ）の制御用のビットを設定する。Ｉ（ＴＣＨ）（１６０ビット）は、情報チャネルであり、主に、音声データを適応符号化したＡＤＰＣＭ信号等のユーザ情報を設定する。
【００５０】
ＣＲＣ（１６ビット）は、巡回生成符号（Cyclic  Redundancy  Code）であり、ユニークワードＵＷの直後から該ＣＲＣの直前までのビットストリームの誤りの検出訂正に用いられる。Ｇ（１６ビット）は、ガードビットであり、伝播遅延時間差やクロックジッタ等によるバースト信号の衝突を避ける時間を設定するための情報である。
【００５１】
以上のように、通話中において伝送路のエラーが発生しない限り、本発明によるＰＨＳ電話システムにおいても、通信用物理スロットにおけるスロット構成は、ＲＣＲ  ＳＴＤ−２８規格（第２世代コードレス電話システム標準規格）に完全に準拠したものになっている。しかし、通話中において伝送路のエラーが発生した場合には、エラー発生直後のスロットからエラーが回復した第１番目のスロットまでの間は、ＲＣＲ  ＳＴＤ−２８規格（第２世代コードレス電話システム標準規格）とは異なり、通信用物理スロットにおけるスロット構成を、情報チャネル（ＴＣＨ）の代わりに、図６に示すような量子化差分信号（ＤＱ）領域と第２情報チャネル（ＴＣＨ２）とを含む回復処理用の通信用物理スロットに切り替える。
【００５２】
図６は、本発明によるＰＨＳ電話システムにおける伝送路エラー発生時の通信用物理スロットのスロット構成を示す説明図であり、伝送路のエラーが発生した際には、エラー発生直後のスロットからエラーが回復した最初のスロットまでの間、エラーが発生した伝送路の送信側の装置から相手側の装置に対して送信する通信用物理スロットとして、情報チャネル（ＴＣＨ）を含む図５の通常時の通信用物理スロットに代わって、迅速な回復処理を行うために用いられるスロットの構成例を示している。つまり、図６に示す伝送路エラー発生時における回復処理用の通信用物理スロットは、本発明に固有に定義した量子化差分信号（ＤＱ）領域と第２情報チャネル（ＴＣＨ２）とを含んで構成されるスロットであって、エラーの発生からエラーが回復した最初のスロットまでの間、図６の回復処理用の通信用物理スロットを用いて、エラーが発生した伝送路の送信側の装置から該エラーを検出した相手側の装置に対して送信される。
【００５３】
図６に示す回復処理用の通信用物理スロットは、Ｒ（４ビット）、ＳＳ（２ビット）、ＰＲ（６ビット）、ＵＷ（１６ビット）、ＣＩ（４ビット）、ＳＡ（１６ビット）、ＣＲＣ（１６ビット）およびＧ（１６ビット）は、図５に示した通常時の通信用物理スロットと同様の構成であるが、図５のＩ（ＴＣＨ）（１６０ビット）の領域が、ＤＱ（１６ビット）とＩ（ＴＣＨ２）（１４４ビット）との２つの領域にさらに分割されている。
【００５４】
ＤＱ（１６ビット）は、量子化差分信号であり、伝送路エラー発生時に、伝送路エラー検出側の装置（すなわち通信用物理スロットの情報の受信側の装置内の復号器（デコーダ））における復旧動作を迅速に行うことを可能にするために、伝送路エラーが検出された旨の通知を受け取ったエラー情報送信側の装置内の符号器（エンコーダ）が現在設定している量子化差分信号を相手側の装置に送信することにより、相手側の装置内の復号器（デコーダ）における予測係数の更新用として用いられる。Ｉ（ＴＣＨ２）（１４４ビット）は、エラー発生時における情報チャネルであり、伝送路エラーが発生している現時点においてＡＤＰＣＭ方式によって符号化された音声データを、通常時の１６０ビットよりも少ない１４４ビットで相手側の装置に送信する。
【００５５】
次に、本発明によるＰＨＳ電話システムの一例として図１ないし図３に示したＰＨＳ電話システムにおいて情報チャネル（ＴＣＨ）を用いた通話中に、伝送路エラーが発生した場合の動作の一例について、図７のシーケンスチャートと図８のフローチャートとを用いて説明する。図７は、図１ないし図３に示したＰＨＳ電話システムにおいて情報チャネル（ＴＣＨ）を用いた通話中に伝送路エラーが発生した場合の基地局（ＣＳ）と移動局（ＰＳ）との間の情報のやり取りの一例を示すシーケンスチャートであり、基地局（ＣＳ）側の符号器（エンコーダ）１０５ａによって生成したＡＤＰＣＭ信号を、移動局（ＰＳ）側の復号器１０５ｂに対して転送した際に、伝送路のエラーが発生したことを移動局（ＰＳ）側のスロット処理部１０３にて検出した場合の動作について示している。また、図８は、図１ないし図３に示したＰＨＳ電話システムにおいて情報チャネル（ＴＣＨ）を用いた通話中に伝送路エラーが発生した場合の移動局（ＰＳ）側の動作の一例を説明するためのフローチャートであり、ステップＳ１ないしＳ８のそれぞれは、図７に示したシーケンスチャートのシーケンスＳｅｑ１１ないしＳｅｑ１８のそれぞれにほぼ対応している。
【００５６】
ＰＨＳ電話システムにおける通話中においては、図５に示した通信用物理スロットの１６０ビットの情報チャネル（ＴＣＨ）にＡＤＰＣＭ方式にて符号化された音声データが設定されて、５ｍｓ間隔の周期で、基地局（ＣＳ）と移動局（ＰＳ）との間で双方向に転送されるＴＣＨ通信中の状態にある（図７のシーケンスＳｅｑ１１、図８のステップＳ１）。ここで、音声データは１２５μｓごとにサンプリングされているので、１スロット当たりの情報チャネル（ＴＣＨ）に含まれるＡＤＰＣＭ信号Ｉ（ｎ）は、４０サンプル（４０サンプル×４ビット＝１６０ビット）に相当する。
【００５７】
ＴＣＨ通信中の状態において、例えば、図７にシーケンスチャートに示すように、基地局（ＣＳ）から移動局（ＰＳ）に向かう下り方向の伝送路にエラーが発生した場合、移動局（ＰＳ）の例えばスロット処理部１０３において、基地局（ＣＳ）からの下り方向の伝送路にエラーが発生したことを検知する（図７のシーケンスＳｅｑ１２、図８のステップＳ２の「あり」）。かかる場合には、移動局（ＰＳ）は、基地局（ＣＳ）から送信されてきた通信用物理スロットの情報チャネル（ＴＣＨ）に含まれている４０サンプル分の音声データの全てを失うことになり、復号すべき音声データに欠落が生じる。
【００５８】
そこで、下り方向の伝送路エラーを検知した移動局（ＰＳ）は、欠落が発生した当該音声データの送信元の基地局（ＣＳ）に対して、下り方向の伝送路にエラーが発生した旨を通知するとともに、エラーが発生した下り方向については、図５に示した通常の通信用物理スロットを受信するＴＣＨ通信中の状態から図６に示した回復処理用の通信用物理スロットを受信するＴＣＨ２通信中の状態に移行する（図７のシーケンスＳｅｑ１３、図８のステップＳ３）。
【００５９】
ここで、移動局（ＰＳ）から基地局（ＣＳ）に向かう上り方向の伝送路もエラーが発生していた場合には、移動局（ＰＳ）からのエラー発生通知は、基地局（ＣＳ）に正しく到達することはできないが、移動局（ＰＳ）から基地局（ＣＳ）に向かう上り方向の伝送路が正常であった場合には、復号器（デコーダ）側の移動局（ＰＳ）からのエラー発生通知は、符号器（エンコーダ）側の基地局（ＣＳ）に正しく到達する。
【００６０】
基地局（ＣＳ）において、移動局（ＰＳ）からの下り伝送路のエラー通知を正常に受け取った場合、基地局（ＣＳ）は、移動局（ＰＳ）側へ向かう下り方向の伝送路に関して、エラーがない正常時に使用していた図５の情報チャネル（ＴＣＨ）を含む通信用物理スロットによる音声データの送信動作から、エラー発生時のスロットの送信用として、量子化差分信号（ＤＱ）領域と第２情報チャネル（ＴＣＨ２）とを含む図６の回復処理用の通信用物理スロットによる送信動作に切り替えて、ＴＣＨ２通信中の状態に移行する（図７のシーケンスＳｅｑ１４、図８のステップＳ４）。
【００６１】
ＴＣＨ２通信中の状態においては、符号器（エンコーダ）側の基地局（ＣＳ）は、量子化差分信号（ＤＱ）領域に符号器（エンコーダ）の現時点における１６ビット（＝４ビット／１サンプル×４サンプル）分の量子化差分信号ｄｑ（ｎ）を設定し、第２情報チャネル（ＴＣＨ２）の領域には、１４４ビット（＝４ビット／サンプル×３８サンプル）のＡＤＰＣＭ信号Ｉ（ｎ）を設定して、復号器（デコーダ）側の移動局（ＰＳ）に向かって送信する動作に切り替わる。
【００６２】
なお、移動局（ＰＳ）から基地局（ＣＳ）に向かう上り方向の伝送路に関しては、移動局（ＰＳ）は、基地局（ＣＳ）側から上り方向の伝送路のエラーを検知した旨の通知を受け取っていないので、エラーがない正常時に使用する図５の情報チャネル（ＴＣＨ）を含む通信用物理スロットによって音声データを送信するＴＣＨ通信中の状態をそのまま継続している（図７のシーケンスＳｅｑ１５）。
【００６３】
ここで、下り方向の伝送路エラーを検知した移動局（ＰＳ）においては、下り方向の伝送路に関して、基地局（ＣＳ）からの回復処理用の通信用物理スロットを受信するＴＣＨ２通信中の状態に移行しているので、下り方向の伝送路を介して、基地局（ＣＳ）から、量子化差分信号（ＤＱ）領域と第２情報チャネル（ＴＣＨ２）とを含む図６の回復処理用の通信用物理スロットを正常に受信したか否かを監視している（図７のシーケンスＳｅｑ１４、図８のステップＳ５）。
【００６４】
下り方向の伝送路のエラーがまだ継続して、移動局（ＰＳ）が、量子化差分信号（ＤＱ）領域と第２情報チャネル（ＴＣＨ２）とを含む図６の回復処理用の通信用物理スロットを正常に受信することができなかった場合には（図８のステップＳ５の「あり」）、図８のステップＳ３に戻って、再度、伝送路エラーが検知された旨を、符号器（エンコーダ）側の基地局（ＣＳ）に通知する動作（図７のシーケンスＳｅｑ１３、図８のステップＳ３）を繰り返す。
【００６５】
一方、下り方向の伝送路が、エラーから復帰して、量子化差分信号（ＤＱ）領域と第２情報チャネル（ＴＣＨ２）とを含む図６の回復処理用の通信用物理スロットを正常に受信することができた場合には（（図７のシーケンスＳｅｑ１６、図８のステップＳ５の「なし」）、復号器（デコーダ）側の移動局（ＰＳ）は、正常に受信した回復処理用の通信用物理スロットの量子化差分信号（ＤＱ）領域に設定されている１６ビットの量子化差分信号ｄｑ（ｎ）を用いて、次の音声データの復号化用に適用するための予測係数を算出して、復号器（デコーダ）の復号化用適応予測器１７における予測係数を更新する（図８のステップＳ６）。而して、移動局（ＰＳ）側の復号器（デコーダ）は、基地局（ＣＳ）側の符号器（エンコーダ）と同期タンデムが取れた状態に復帰することができる。また、正常に受信した回復処理用の通信用物理スロットの第２情報チャネル（ＴＣＨ２）の領域に含まれている１４４ビットのＡＤＰＣＭ信号Ｉ（ｎ）の音声データは、正常時のＡＤＰＣＭ信号Ｉ（ｎ）と同様に扱って処理を行うことにより、該受信時点から正しい音声データに復号して出力することが可能となる。
【００６６】
しかる後、下り方向の伝送路のエラーから回復して、量子化差分信号（ＤＱ）領域と第２情報チャネル（ＴＣＨ２）とを含む図６の回復処理用の通信用物理スロットを正常に受信することができた復号器（デコーダ）側の移動局（ＰＳ）は、当該回復処理用の通信用物理スロットの送信元の符号器（エンコーダ）側の基地局（ＣＳ）に対して、下り方向の伝送路のエラーから回復して、予測係数を更新し、同期タンデムが回復した旨を通知するとともに、エラーから復帰した下り方向についても、図６の回復処理用の通信用物理スロットを受信するＴＣＨ２通信中の状態から図５の通常時の通信用物理スロットを受信するＴＣＨ通信中の状態に復帰する（図７のシーケンスＳｅｑ１７、図８のステップＳ７）。
【００６７】
基地局（ＣＳ）において、復号器（デコーダ）側の移動局（ＰＳ）から、下り伝送路のエラーから回復して、同期タンデムが回復した旨の通知を受け取ると、基地局（ＣＳ）は、移動局（ＰＳ）側へ向かう下り方向の伝送路に関して、図６の回復処理用の通信用物理スロットを送信するＴＣＨ２通信中の状態を、エラーがない正常時において使用する図５の情報チャネル（ＴＣＨ）を含む通信用物理スロットによる音声データの送信動作を行うＴＣＨ通信中の状態に復帰させて、上り、下りの伝送路の双方向ともに、ＴＣＨ通信中の状態に復帰する（図７のシーケンスＳｅｑ１８、図８のステップＳ８）。
【００６８】
復号器（デコーダ）の内部には、予測信号ｓｅ（ｎ）を生成するための予測係数を算出するために、過去２サンプル分の復号信号（再合成信号）ｓｒ（ｎ）と過去６サンプル分の量子化差分信号ｄｑ（ｎ）とを保有しているが、以上に説明したように、伝送路のエラーが発生すると、１スロット分では４０サンプルのデータが欠落することになる。このため、従来のＰＨＳ電話システムにおいては、伝送路が正常化した後、誤りデータの送信側装置（図７の例においては基地局（ＣＳ））の符号器（エンコーダ）側から誤りデータの受信側装置（図７の例においては移動局（ＰＳ））の復号器（デコーダ）側に対して送信する予測差分信号ｄ（ｎ）が'００００'からスタートすることを考慮しても、正常な元の音声データに戻るには、最良の状態においても、７サンプル要することになっていた。
【００６９】
これに対して、本発明における実施形態においては、図７、図８において説明したように、伝送路のエラーが発生した時点からエラーが回復するまでの間、継続して、誤りデータの送信側装置（図７の例においては基地局（ＣＳ））から誤りデータの受信側装置（図７の例においては移動局（ＰＳ））に対して、図６に示す量子化差分信号（ＤＱ）領域の１６ビット（＝４ビット／１サンプル×４サンプル）を使って現時点における符号器（エンコーダ）側の量子化差分信号ｄｑ（ｎ）を送信するようにしているので、誤りデータの受信側装置は、伝送路のエラーから回復した最初の時点で、正常に受け取った量子化差分信号（ＤＱ）領域の１６ビット（＝４ビット／サンプル×４サンプル）の量子化差分信号ｄｑ（ｎ）を用いて復号器（デコーダ）の予測係数を更新することができ、如何なる状態であっても、５サンプル目で正常な元の音声データに復旧することができる。
【００７０】
（実施形態の効果の説明）
以上の詳細に説明したように、本発明の実施形態によれば、次のような効果が得られる。
【００７１】
すなわち、ＰＨＳ電話システムにおいて、１スロット分当たり４０サンプルの音声データが欠落するような伝送路のエラーが発生した場合であっても、該伝送路のエラーから回復して正常な状態に復帰した際に、迅速に、元の正常な音声データに復号して出力することができる。
【００７２】
従来のＰＨＳ電話システムにおいては、伝送路が正常な状態に復帰した後に、音声データをサンプリングして符号化したＡＤＰＣＭ信号が'００００'からスタートすることを考慮したとしても、最良な状態で、元の音声データに復号して出力することが可能な状態に復帰するまでに、７サンプル分の時間を要する。あるいは、符号化しようとする音声データの状態如何によっては、それ以上の時間を費やす可能性もある。
【００７３】
これに対して、本発明による実施形態においては、エラー発生時からエラー回復時まで、符号器（エンコーダ）側の装置から復号器（デコーダ）側の装置へ、復号化用の予測係数の算出用に用いる量子化差分信号を情報量子化差分信号（ＤＱ）領域に設定して送信しているので、符号化しようとする音声データがどのような状態であっても、常に、５サンプル後においては、元の正常な音声データに復号して出力することが可能となる。
【００７４】
以上、本発明の好適な実施形態の構成を説明した。しかし、かかる実施形態は、本発明の単なる例示に過ぎず、何ら本発明を限定するものではないことに留意されたい。本発明の要旨を逸脱することなく、特定用途に応じて種々の変形変更が可能であることが、当業者には容易に理解できよう。
【符号の説明】
【００７５】
１        第１加算器
２        適応量子化器
３        第１Ｄフリップフロップ
４        量子化幅更新器
５        逆適応量子化器
６        第２Ｄフリップフロップ
７        第３Ｄフリップフロップ
８        第２加算器
９        適応予測器
１１      復号化用第１Ｄフリップフロップ
１２      復号化用量子化幅更新器
１３      復号化用逆適応量子化器
１４      復号化用第２Ｄフリップフロップ
１５      復号化用第３Ｄフリップフロップ
１６      復号化用加算器
１７      復号化用適応予測器
１０１    送受信部
１０２    フレーム処理部
１０３    スロット処理部
１０４    バッファ
１０５    ＡＤＰＣＭ処理部
１０６    制御部
１０５ａ  符号器（エンコーダ）
１０５ｂ  復号器（デコーダ）
１０６    制御部
【図１】
0005477923.tif 000002
【図２】
0005477923.tif 000003
【図３】
0005477923.tif 000004
【図４】
0005477923.tif 000005
【図５】
0005477923.tif 000006
【図６】
0005477923.tif 000007
【図７】
0005477923.tif 000008
【図８】
0005477923.tif 000009